(57)【要約】【課題】工具等を使用せずに簡単にカバーを取り外すことができて保守時等における取り扱い性に優れたレバー式コネクタを提供すること。【解決手段】レバー式コネクタ１において、ハウジング本体１０に嵌合操作レバー２０を回動可能に連結する軸係合穴２４を、嵌合操作レバー２０の嵌合開始位置と嵌合完了位置との中間の所定の回動位置において当該嵌合操作レバー２０が所定方向にスライド移動可能なように、所定方向に長い長円形に形成し、且つ、嵌合操作レバー２０には、嵌合操作レバー２０を所定方向にスライド移動させたときに、カバー３０の他端側をハウジング本体１０に係合している弾性係合片３２を係合解除方向に弾性変形させて、カバー３０の他端側とハウジング本体１０との係合を解除する係合解除部２５を備える。【選択図】図１
2013093185.tif 000002
【特許請求の範囲】
【請求項１】
対向する一対の側壁に形成されたレバー支持部と前記一対の側壁に形成されたカバー係止部とを備え、相手のコネクタハウジングに嵌合接続されるハウジング本体と、
前記レバー支持部に回動可能に係合する回動用連結部を備え、前記回動用連結部を前記レバー支持部に係合させることにより前記一対の側壁に回動可能に結合されて規定の嵌合開始位置から嵌合完了位置に回動操作することによって前記相手のコネクタハウジングと前記ハウジング本体とを嵌合させる嵌合操作レバーと、
前記カバー係止部に係合可能なハウジング係合部を備えて前記ハウジング係合部を前記カバー係止部に係合させることで前記ハウジング本体の後端に固定されて前記ハウジング本体の後方に引き出される電線の引き出し方向を規制するカバーと、
を備えると共に、
前記レバー支持部及び前記回動用連結部の何れか一方は略円柱状の軸部に、他方は前記軸部に回動可能に嵌合する軸嵌合穴に形成されるレバー式コネクタであって、
前記嵌合操作レバーが前記嵌合開始位置と嵌合完了位置との中間の所定の回動位置において当該嵌合操作レバーが所定方向にスライド移動可能なように、前記軸係合穴が前記所定方向に長い長円形に形成されると共に、前記嵌合操作レバーを前記所定方向にスライド移動させたときに前記カバー係止部又は前記ハウジング係合部の何れか一方を係合解除方向に弾性変形させて前記カバー係止部と前記ハウジング係合部との係合を解除する係合解除部を備えたことを特徴とするレバー式コネクタ。
【請求項２】
前記カバーは、前記ハウジング係合部として、前記カバー係止部との係脱時に弾性変形する弾性係合片を備え、
前記係合解除部は、前記嵌合操作レバーのスライド移動時に、前記弾性係合片を係合解除方向に弾性変形させることで、前記カバー係止部と前記ハウジング係合部との係合を解除することを特徴とする請求項１に記載のレバー式コネクタ。
【請求項３】
前記カバーは、前記ハウジング本体へ固定するための手段として、当該カバーの一端側に装備されて前記ハウジング本体に装備されたカバー回動支持部へ引っ掛けることによって当該カバーの一端側を回動可能にハウジング本体に連結する引っ掛け部と、当該カバーの他端側に装備された前記弾性係合片とを備え、
当該カバーの一端側を回動可能にハウジング本体に連結した状態で当該カバーを回動させて当該カバーの他端側を前記ハウジング本体の対応位置に突き合わせると、前記弾性係合片が前記カバー係止部に係合して、当該カバーがハウジング本体に固定されることを特徴とする請求項２に記載のレバー式コネクタ。
【発明の詳細な説明】
【技術分野】
【０００１】
本発明は、レバー式コネクタに関する。
【背景技術】
【０００２】
図２０は、下記特許文献１に開示されたレバー式コネクタを示したものである。
このレバー式コネクタ１００は、相手コネクタハウジングに嵌合接続されるハウジング本体１１０と、嵌合操作レバー１２０と、カバー１３０と、を備える。
【０００３】
ハウジング本体１１０は、対向する一対の側壁１１１に形成された不図示のレバー支持部と、一対の側壁１１１の一端（図２０では左端）側に形成された第１のカバー係止部１１４と、一対の側壁１１１の他端（図２０では右端）側に形成された第２のカバー係止部１１５と、を備えている。
【０００４】
図示例の場合、第１のカバー係止部１１４は、側壁１１１の外面に突設された突起である。また、第２のカバー係止部１１５は、側壁１１１の内面に形成された係止用の凹みである。
【０００５】
嵌合操作レバー１２０は、前記レバー支持部に回動可能に係合する不図示の回動用連結部を備えていて、前記回動用連結部を前記レバー支持部に係合させることにより、一対の側壁１１１に回動可能に結合される。この嵌合操作レバー１２０は、ハウジング本体１１０に対して、規定の嵌合開始位置から嵌合完了位置に回動操作することによって、ハウジング本体１１０を相手のコネクタハウジングに嵌合させることができる。
【０００６】
カバー１３０は、第１のカバー係止部１１４に係合可能な第１のハウジング係合部１３４と、第２のカバー係止部１１５に係合可能な第２のハウジング係合部１３５と、を備えている。カバー１３０は、上記のハウジング係合部１３４，１３５を、ハウジング本体１１０の対応するカバー係止部１１４，１１５に係合させることでハウジング本体１１０の後端に固定される。このカバー１３０は、ハウジング本体１１０の後端に固定されることで、図示のようにハウジング本体１１０の後方に引き出される電線１４０の引き出し方向を規制する。
【０００７】
このようにハウジング本体１１０に嵌合操作レバー１２０とカバー１３０とが装着されるレバー式コネクタ１００では、組立を完了した状態では、カバー１３０の第２のハウジング係合部１３５とハウジング本体１１０の第２のカバー係止部１１５との係合部は、嵌合操作レバー１２０の内側に隠れてしまう。
【０００８】
そのため、保守等のためにカバー１３０を取り外す必要が生じても、嵌合操作レバー１２０が邪魔となって、素手では簡単に第２のカバー係止部１１５と第１のカバー係止部１１４との係合部にアクセスすることができず、簡単にカバーを取り外すことができないという問題が生じた。
【０００９】
そこで、下記特許文献２には、嵌合操作レバーの内側に隠れてしまうハウジング本体とカバーとの係合を解除させる方法として、ハウジング本体とカバーとの係合部の間に専用の工具（係合解除用治具）等を差し込んで、ハウジング本体とカバーとの係合を解除させる方法が開示されている。
【先行技術文献】
【特許文献】
【００１０】
【特許文献１】特開２００９−６４５７１号公報
【特許文献２】特開２００１−３２６０２２号公報
【発明の概要】
【発明が解決しようとする課題】
【００１１】
ところが、特許文献２のように専用の工具等を用いてカバーをハウジング本体から取り外すレバー式コネクタの場合は、当該レバー式コネクタの保守作業を行う作業者がその専用の工具を常備しておかねばならず、保守時等における取り扱い性が優れているとは言い難い。
【００１２】
また、上記の特許文献１や特許文献２に開示のレバー式コネクタの場合、嵌合操作レバーの内側に隠れるハウジング本体の他端側の係合部と、嵌合操作レバーによって隠れていないハウジング本体の一端側の係合部は、何れも、一方の部材に形成された突起を他方の部材に形成された凹部に係合させる同様な係合構造であるため、係合を解除する際の優先度が分かり難い。
【００１３】
そのため、作業者によっては、係合解除作業が容易なハウジング本体の一端側の係合部から先に係合解除を実施して、その後で、ハウジング本体の他端側の係合部の係合解除を実施することが起こり得る。そして、その場合に、ハウジング本体の一端側の係合部の係合を解除した時点では、カバーが離脱方向に大きく動くことがなく、作業者にカバーの脱落防止を意識させることが難しい。従って、作業者がカバーの脱落を意識せずに、カバーを支えずにハウジング本体の他端側の係合部の係合を解除してしまうと、カバーが脱落して、カバーの破損を招くおそれがあった。
【００１４】
そこで、本発明の目的は、上記課題を解消することに係り、工具等を使用せずに簡単にカバーを取り外すことができて保守時等における取り扱い性に優れたレバー式コネクタを提供することを目的とする。更に、ハウジング本体に対するカバーの着脱時にカバーが不用意に脱落することがなく、取り扱い性に優れたレバー式コネクタを提供することにある。
【課題を解決するための手段】
【００１５】
本発明の前述した目的は、下記の構成により達成される。
（１）対向する一対の側壁に形成されたレバー支持部と前記一対の側壁に形成されたカバー係止部とを備え、相手のコネクタハウジングに嵌合接続されるハウジング本体と、
前記レバー支持部に回動可能に係合する回動用連結部を備え、前記回動用連結部を前記レバー支持部に係合させることにより前記一対の側壁に回動可能に結合されて規定の嵌合開始位置から嵌合完了位置に回動操作することによって前記相手のコネクタハウジングと前記ハウジング本体とを嵌合させる嵌合操作レバーと、
前記カバー係止部に係合可能なハウジング係合部を備えて前記ハウジング係合部を前記カバー係止部に係合させることで前記ハウジング本体の後端に固定されて前記ハウジング本体の後方に引き出される電線の引き出し方向を規制するカバーと、
を備えると共に、
前記レバー支持部及び前記回動用連結部の何れか一方は略円柱状の軸部に、他方は前記軸部に回動可能に嵌合する軸嵌合穴に形成されるレバー式コネクタであって、
前記嵌合操作レバーが前記嵌合開始位置と嵌合完了位置との中間の所定の回動位置において当該嵌合操作レバーが所定方向にスライド移動可能なように、前記軸係合穴が前記所定方向に長い長円形に形成されると共に、前記嵌合操作レバーを前記所定方向にスライド移動させたときに前記カバー係止部又は前記ハウジング係合部の何れか一方を係合解除方向に弾性変形させて前記カバー係止部と前記ハウジング係合部との係合を解除する係合解除部を備えたことを特徴とするレバー式コネクタ。
【００１６】
（２）前記カバーは、前記ハウジング係合部として、前記カバー係止部との係脱時に弾性変形する弾性係合片を備え、
前記係合解除部は、前記嵌合操作レバーのスライド移動時に、前記弾性係合片を係合解除方向に弾性変形させることで、前記カバー係止部と前記ハウジング係合部との係合を解除することを特徴とする上記（１）に記載のレバー式コネクタ。
【００１７】
（３）前記カバーは、前記ハウジング本体へ固定するための手段として、当該カバーの一端側に装備されて前記ハウジング本体に装備されたカバー回動支持部へ引っ掛けることによって当該カバーの一端側を回動可能にハウジング本体に連結する引っ掛け部と、当該カバーの他端側に装備された前記弾性係合片とを備え、
当該カバーの一端側を回動可能にハウジング本体に連結した状態で当該カバーを回動させて当該カバーの他端側を前記ハウジング本体の対応位置に突き合わせると、前記弾性係合片が前記カバー係止部に係合して、当該カバーがハウジング本体に固定されることを特徴とする上記（２）に記載のレバー式コネクタ。
【００１８】
上記（１）の構成によれば、ハウジング本体に嵌合操作レバーとカバーとの組み付けが完了した組立状態において、例えば保守等のために、カバーを取り外す必要が生じた場合には、嵌合操作レバーを嵌合開始位置と嵌合完了位置との中間の所定の回動位置に回動させ、更に、当該嵌合操作レバーを所定方向にスライド移動させる。すると、嵌合操作レバーに装備されている係合解除部が、ハウジング本体上のカバー係止部とカバー上のハウジング係合部との係合を解除するため、専用の工具等を使用せずに、簡単にカバーを取り外すことができて、保守時等にいて優れた取り扱い性を確保することができる。
【００１９】
上記（２）の構成によれば、嵌合操作レバーを嵌合開始位置と嵌合完了位置との中間の所定の回動位置に回動させたときに、嵌合操作レバー上の係合解除部とカバー上のハウジング係合部としての弾性係合片とが対向するように、上記の係合解除部及び弾性係合片の配置を設定し、更に、嵌合操作レバー２０をハウジング本体に回動可能に連結する軸嵌合穴は、上記の係合解除部と弾性係合片との対向方向に長い長円形に形成しておくだけで、上記（１）に記載したレバーのスライド操作による係合解除動作を実現することができ、ハウジング本体やレバーの構造の繁雑化を招かずに、本発明の目的を達成するレバー式コネクタを提供することができる。
【００２０】
上記（３）の構成によれば、カバーをハウジング本体に固定する際には、カバーの一端側から先にハウジング本体に取り付け、ハウジング本体からカバーを取り外す際には、嵌合操作レバーのスライド操作により、カバーの他端側の係合部から係合解除することになる。言い換えると、カバーを取り外す際の係合解除操作は、カバーの他端側が優先されることが明確なため、作業者が誤ってカバーの他端側から係合解除操作を行うような誤操作が生じない。
【００２１】
そして、カバーの他端側の係合を解除すると、カバーの一端側をハウジング本体に連結する引っ掛け部を支点とする回動挙動により大きく動くため、作業者にカバーの脱落防止を意識させることができる。そのため、作業者がカバーの脱落を意識せずに、カバーを支えずにカバーの一端側の係合部の係合を解除することを回避することができる。
【００２２】
従って、ハウジング本体に対するカバーの着脱時にカバーが不用意に脱落することがなく、取り扱い性に優れたレバー式コネクタを提供することができる。
【発明の効果】
【００２３】
本発明によるレバー式コネクタによれば、ハウジング本体に嵌合操作レバーとカバーとの組み付けが完了したレバー式コネクタの組立状態において、例えば保守等のために、カバーを取り外す必要が生じた場合には、嵌合操作レバーを嵌合開始位置と嵌合完了位置との中間の所定の回動位置に回動させ、更に、当該嵌合操作レバーを所定方向にスライド移動させる。すると、嵌合操作レバーに装備されている係合解除部が、ハウジング本体上のカバー係止部とカバー上のハウジング係合部との係合を解除するため、専用の工具等を使用せずに、簡単にカバーを取り外すことができて、保守時等にいて優れた取り扱い性を確保することができる。
【図面の簡単な説明】
【００２４】
【図１】本発明に係るレバー式コネクタの一実施形態の分解斜視図である。
【図２】図１のカバーを内面側から視た斜視図である。
【図３】図２のＡ部拡大図である。
【図４】図１の嵌合操作レバーが装着されたハウジング本体にカバーの一端側の引っ掛け部をハウジング本体のカバー回動支持部に引っ掛けた状態の外観側面図である。
【図５】図４に示したカバーの取り付け状態を示す縦断面図である。
【図６】図５に示したカバーの他端側のハウジング係合部をハウジング本体のカバー係止部に係合させて、カバーのハウジング本体への取り付けが完了した状態の外観側面図である。
【図７】図６に示したカバーの取り付け状態を示す縦断面図である。
【図８】ハウジング本体を相手のコネクタハウジングに嵌合させるために、嵌合操作レバーを嵌合開始位置に位置させた状態の外観側面図である。
【図９】ハウジング本体上の嵌合操作レバーを嵌合開始位置から嵌合完了位置に移動させた状態の外観側面図である。
【図１０】カバーをハウジング本体から取り外すために嵌合操作レバーを嵌合開始位置と嵌合完了位置との中間の所定の回動位置に移動させた状態の説明図である。
【図１１】図１０の状態におけるカバーの他端側のハウジング本体との係合部と嵌合操作レバーの係合解除部との位置関係を示す縦断面図である。
【図１２】図１０のＢ−Ｂ断面図である。
【図１３】図１２のＣ部拡大図である。
【図１４】図１１のＤ部拡大図である。
【図１５】図１０の状態から嵌合操作レバーを矢印Ｐ１方向にスライド移動させて、カバーの他端側のハウジング本体との係合を解除した状態の嵌合操作レバーの位置を示す側面図である。
【図１６】図１５のＥ−Ｅ断面図である。
【図１７】図１６のＦ拡大図である。
【図１８】カバーの他端側のハウジング本体との係合を解除している状態における嵌合操作レバーの係合解除部の位置を示す縦断面図である。
【図１９】図１８のＧ部拡大図である。
【図２０】従来のレバー式コネクタの分解斜視図である。
【発明を実施するための形態】
【００２５】
以下、本発明に係るレバー式コネクタの好適な実施形態について、図面を参照して詳細に説明する。
図１〜図１９は本発明に係るレバー式コネクタの一実施形態の説明図で、図１は本発明の一実施形態のレバー式コネクタの分解斜視図、図２は図１のカバーを内面側から視た斜視図、図３は図２のＡ部拡大図、図４は図１の嵌合操作レバーが装着されたハウジング本体にカバーの一端側の引っ掛け部をハウジング本体のカバー回動支持部に引っ掛けた状態の外観側面図、図５は図４に示したカバーの取り付け状態を示す縦断面図、図６は図５に示したカバーの他端側のハウジング係合部をハウジング本体のカバー係止部に係合させて、カバーのハウジング本体への取り付けが完了した状態の外観側面図、図７は図６に示したカバーの取り付け状態を示す縦断面図、図８はハウジング本体を相手のコネクタハウジングに嵌合させるために、嵌合操作レバーを嵌合開始位置に位置させた状態の外観側面図、図９はハウジング本体上の嵌合操作レバーを嵌合開始位置から嵌合完了位置に移動させた状態の外観側面図、図１０はカバーをハウジング本体から取り外すために嵌合操作レバーを嵌合開始位置と嵌合完了位置との中間の所定の回動位置に移動させた状態の説明図、図１１は図１０の状態におけるカバーの他端側のハウジング本体との係合部と嵌合操作レバーの係合解除部との位置関係を示す縦断面図で、図１２は図１０のＢ−Ｂ断面図、図１３は図１２のＣ部拡大図で、図１４は図１１のＤ部拡大図、図１５は図１０の状態から嵌合操作レバーを矢印Ｐ１方向にスライド移動させて、カバーの他端側のハウジング本体との係合を解除した状態の嵌合操作レバーの位置を示す側面図、図１６は図１５のＥ−Ｅ断面図、図１７は図１６のＦ部拡大図、図１８はカバーの他端側のハウジング本体との係合を解除している状態における嵌合操作レバーの係合解除部の位置を示す縦断面図、図１９は図１８のＧ部拡大図である。
【００２６】
この一実施形態のレバー式コネクタ１は、図１に示すように、ハウジング本体１０と、嵌合操作レバー２０と、カバー３０と、を備える。
【００２７】
ハウジング本体１０は、相手のコネクタハウジング４０に嵌合接続されるコネクタハウジングで、対向する一対の側壁１１に形成されたレバー支持部１２と、カバー係止部として一対の側壁１１の一端側に形成されたカバー回動支持部１３と、カバー係止部として一対の側壁１１の他端側に形成されたカバー固定部１４と、を備える。このハウジング本体１０は、その内部に、接続端子を収容保持するインナーハウジング５０が嵌合装着される。
【００２８】
レバー支持部１２は、嵌合操作レバー２０を回動可能に支持する部位で、本実施形態の場合は、略円柱状の軸部に形成されている。
【００２９】
カバー回動支持部１３は、図５に示すように、一対の側壁１１の外面に突設された突起で、後述のカバー３０の一端側に形成された引っ掛け部３１が回動可能に引っ掛けられる。
【００３０】
カバー固定部１４は、図５に示すように、ハウジングの後端側に位置する弾性片部１４ａに隣接して、係止用の溝部１４ｂを形成した構造である。このカバー固定部１４は、後述のカバー３０の他端側に形成されたハウジング係合部としての弾性係合片３２を前記溝部１４ｂにより係止することで、カバー３０の他端側を固定する。
【００３１】
嵌合操作レバー２０は、ハウジング本体１０の一対の側壁１１の外面に回動可能に連結される一対のレバー本体２１と、これらの一対のレバー本体２１相互の一端側を連結した連結壁２２とを備える。一対のレバー本体２１は、レバー支持部１２に回動可能に係合する回動用連結部２４と、カバー３０の他端側の弾性係合片３２とハウジング本体１０のカバー固定部１４との係合を解除するための係合解除部２５と、を備える。
【００３２】
レバー本体２１に装備された回動用連結部２４は、本実施形態の場合、略円柱状の軸部であるレバー支持部１２に回動可能に嵌合する軸嵌合穴である。また、本実施形態の場合、回動用連結部２４としての軸嵌合穴は、図４に示すように、軸線Ｊ１の延在する方向（後述の所定方向）に沿って長い長円形に形成されている。この長円形の回動用連結部２４は、レバー支持部１２に対して嵌合操作レバー２０を穴の長手方向にスライド可能にする。
【００３３】
レバー本体２１に装備された係合解除部２５については、カバー３０のハウジング本体１０への固定構造を説明した後で、前述の回動用連結部２４と共に補足説明する。
【００３４】
本実施形態の嵌合操作レバー２０は、回動用連結部２４をレバー支持部１２に係合させることにより一対の側壁１１に回動可能に結合されて、規定の嵌合開始位置（図８に示す嵌合操作レバー２０の位置）から嵌合完了位置（図９に示す嵌合操作レバー２０の位置）に回動操作することによって相手のコネクタハウジング４０とハウジング本体１０とを嵌合させる。
【００３５】
カバー３０は、ハウジング本体１０の後端側を覆うカバーである。このカバー３０は、ハウジング本体１０へ固定するための手段として、図２及び図３に示すように、一端側に配置された引っ掛け部３１と、他端側に配置された弾性係合片３２と、を備える。
【００３６】
引っ掛け部３１は、ハウジング本体１０の一端側に配置されたカバー回動支持部１３に係合可能なハウジング係合部として、カバー３０の一端側に配置されている。この引っ掛け部３１は、図３に示すように、Ｌ字側の隆起部３１ａによって、カバー回動支持部１３が係合する凹部３１ｂを形成したものである。引っ掛け部３１は、図５に示すように、Ｌ字側の隆起部３１ａをカバー回動支持部１３の外周に引っ掛けることで、カバー３０の一端側を回動可能にハウジング本体１０の一端側に連結する。
【００３７】
弾性係合片３２は、ハウジング本体１０の他端側に配置されたカバー固定部１４に係合可能なハウジング係合部として、カバー３０の一端側に配置されている。この弾性係合片３２は、図２に示すように、カバー固定部１４の溝部１４ｂに係合するハウジング係合突起３２ｂを弾性片３２ａ上に形成している。弾性片３２ａは、カバー固定部１４との係脱時に弾性変形して、ハウジング係合突起３２ｂの溝部１４ｂへの係脱を可能にする。
【００３８】
本実施形態のカバー３０は、上記の引っ掛け部３１及び弾性係合片３２を、ハウジング本体１０のカバー回動支持部１３及びカバー固定部１４に係合させることでハウジング本体１０の後端に固定される。
【００３９】
カバー３０をハウジング本体１０の後端に固定する際の操作は、次のようになる。まず、図５に示したようにカバー３０の一端側を回動可能にハウジング本体１０に連結した状態にする。次いで、当該カバー３０を図５の矢印Ｒ１方向に回動させて、当該カバー３０の他端側をハウジング本体１０の対応位置に突き合わせると、弾性係合片３２がカバー固定部１４に係合して、ハウジング本体１０に固定された状態になる。
【００４０】
カバー３０は、ハウジング本体１０の後端に固定されることで、ハウジング本体１０の後方に引き出される電線の引き出し方向を規制する。
【００４１】
カバー３０のハウジング本体１０への装着は、嵌合操作レバー２０をハウジング本体１０に装着した後で行われる。
【００４２】
カバー３０のハウジング本体１０への装着は、図４及び図５に示すように、まず一端側の引っ掛け部３１をハウジング本体１０のカバー回動支持部１３に引っ掛けて、カバー３０の一端側を回動可能にハウジング本体１０に連結する。次いで、図５に矢印Ｒ１で示すようにカバー３０の他端側をハウジング本体１０側に回動させ、図６及び図７に示すように、カバー３０の他端側のハウジング係合突起３２ｂに係合させると、カバー３０の他端側もハウジング本体１０に連結されて、カバー３０がハウジング本体１０の後端に固定された状態になる。
【００４３】
ハウジング本体１０へのカバー３０の装着が完了したハウジング本体１０は、図８に示すように、嵌合操作レバー２０を嵌合開始位置に位置決めした状態で、相手のコネクタハウジング４０と突き合わせて、嵌合操作レバー２０が相手のコネクタハウジング４０を引き込み可能にする。
【００４４】
次いで、図８に矢印Ｒ２で示すように、嵌合操作レバー２０を嵌合完了側に回動させると、嵌合操作レバー２０の回動に伴い、相手のコネクタハウジング４０がハウジング本体１０側に引き込まれて、ハウジング本体１０と相手のコネクタハウジング４０との嵌合が進む。そして、図９に示すように、嵌合操作レバー２０が嵌合完了位置に到達すると、ハウジング本体１０と相手のコネクタハウジング４０との嵌合が完了した状態になる。
【００４５】
本実施形態において、嵌合操作レバー２０のレバー本体２１に装備された回動用連結部２４としての軸嵌合穴は、図１０に示すように嵌合操作レバー２０が嵌合開始位置と嵌合完了位置との中間の所定の回動位置に移動したとき、嵌合操作レバー２０が所定方向にスライド移動可能なように、所定方向（図４の軸線Ｊ１方向）に長い長円形に形成されている。
【００４６】
嵌合操作レバー２０が、図１０に示す所定の回動位置にあるとき、嵌合操作レバー２０に装備された係合解除部２５は、図１１〜図１４に示すように、カバー固定部１４の溝部１４ｂに係合しているハウジング係合突起３２ｂに近接した位置で、溝部１４ｂと対向する位置に位置している。
【００４７】
図１５に示すように、所定の回動位置に位置している嵌合操作レバー２０を、矢印Ｐ１方向に押すことによって、嵌合操作レバー２０は回動用連結部２４の長手方向にスライド移動し、係合解除部２５がハウジング係合突起３２ｂを押圧する。
【００４８】
ハウジング係合突起３２ｂの係合解除部２５により押圧される部分は、図１４に示すように、係合解除部２５からの押圧によって係合解除方向への付勢力を発生させる面取り３２ｃが形成されている。そのため、嵌合操作レバー２０のスライド移動が進むと、図１７に示すように、係合解除部２５の押圧によって、弾性係合片３２の弾性片３２ａが係合解除方向（図１７の矢印Ｋ方向）に弾性変形して、カバー固定部１４と弾性係合片３２との係合が解除される。即ち、係合解除部２５は、嵌合操作レバー２０のスライド移動時に、弾性係合片３２を係合解除方向に弾性変形させることで、カバー固定部１４と弾性係合片３２との係合を解除する。
【００４９】
以上に説明した本実施形態のレバー式コネクタ１によれば、ハウジング本体１０に嵌合操作レバー２０とカバー３０との組み付けが完了した組立状態において、例えば保守等のために、カバー３０を取り外す必要が生じた場合には、図１０に示すように嵌合操作レバー２０を嵌合開始位置と嵌合完了位置との中間の所定の回動位置に回動させ、更に、図１５に示すように当該嵌合操作レバー２０を所定方向にスライド移動させる。すると、嵌合操作レバー２０に装備されている係合解除部２５が、ハウジング本体１０上のカバー固定部１４とカバー３０上の弾性係合片３２との係合を解除するため、専用の工具等を使用せずに、簡単にカバー３０を取り外すことができて、保守時等にいて優れた取り扱い性を確保することができる。
【００５０】
また、以上に説明した本実施形態のレバー式コネクタ１によれば、嵌合操作レバー２０を嵌合開始位置と嵌合完了位置との中間の所定の回動位置に回動させたときに、嵌合操作レバー２０上の係合解除部２５とカバー３０上の弾性係合片３２としての弾性係合片３２とが対向するように、上記の係合解除部２５及び弾性係合片３２の配置を設定し、更に、嵌合操作レバー２０をハウジング本体１０に回動可能に連結する軸嵌合穴は、上記の係合解除部２５と弾性係合片３２との対向方向に長い長円形に形成しておくだけで、上記（１）に記載したレバーのスライド操作による係合解除動作を実現することができ、ハウジング本体１０やレバーの構造の繁雑化を招かずに、本発明の目的を達成するレバー式コネクタ１を提供することができる。
【００５１】
また、以上に説明した本実施形態のレバー式コネクタ１によれば、カバー３０をハウジング本体１０に固定する際には、カバー３０の一端側から先にハウジング本体１０に取り付け、ハウジング本体１０からカバー３０を取り外す際には、嵌合操作レバー２０のスライド操作により、カバー３０の他端側の係合部から係合解除することになる。言い換えると、カバー３０を取り外す際の係合解除操作は、カバー３０の他端側が優先されることが明確なため、作業者が誤ってカバー３０の一端側から係合解除操作を行うような誤操作が生じない。
【００５２】
そして、カバー３０の他端側の係合を解除すると、カバー３０の一端側をハウジング本体１０に連結する引っ掛け部３１を支点とする回動挙動により大きく動くため、作業者にカバー３０の脱落防止を意識させることができる。そのため、作業者がカバー３０の脱落を意識せずに、カバー３０を支えずにカバー３０の一端側の係合部の係合を解除することを回避することができる。
【００５３】
従って、ハウジング本体１０に対するカバー３０の着脱時にカバー３０が不用意に脱落することがなく、取り扱い性に優れたレバー式コネクタ１を提供することができる。
【００５４】
なお、本発明のレバー式コネクタは、前述した実施形態に限定されるものでなく、適宜な変形、改良等が可能である。
【００５５】
例えば、嵌合操作レバーを回動可能にハウジング本体に連結する機構は、嵌合操作レバー側に軸部を設け、ハウジング本体側に前記軸部を回動可能に支持する軸係合穴を設けるようにしても良い。
【００５６】
また、上記実施形態では、嵌合操作レバーに装備した係合解除部は、カバーのハウジング係合部を弾性変形させることでカバー係止部とハウジング係合部との係合を解除しているが、代わりに、カバー係止部を弾性変形可能に形成しておいて、前記係合解除部がカバー係止部を弾性変形させることでカバー係止部とハウジング係合部との係合を解除しているようにしても良い。
【符号の説明】
【００５７】
１  レバー式コネクタ
１０  ハウジング本体
１２  レバー支持部
１３  カバー回動支持部（カバー係止部）
１４  カバー固定部（カバー係止部）
２０  嵌合操作レバー
２４  回動用連結部（軸係合穴）
３０  カバー
３１  引っ掛け部（ハウジング係合部）
３２  弾性係合片（ハウジング係合部）
【図１】
2013093185.tif 000003
【図２】
2013093185.tif 000004
【図３】
2013093185.tif 000005
【図４】
2013093185.tif 000006
【図５】
2013093185.tif 000007
【図６】
2013093185.tif 000008
【図７】
2013093185.tif 000009
【図８】
2013093185.tif 000010
【図９】
2013093185.tif 000011
【図１０】
2013093185.tif 000012
【図１１】
2013093185.tif 000013
【図１２】
2013093185.tif 000014
【図１３】
2013093185.tif 000015
【図１４】
2013093185.tif 000016
【図１５】
2013093185.tif 000017
【図１６】
2013093185.tif 000018
【図１７】
2013093185.tif 000019
【図１８】
2013093185.tif 000020
【図１９】
2013093185.tif 000021
【図２０】
2013093185.tif 000022